(57)【要約】【課題】  ねじれの発生が抑制されるレーザ加工方法、レーザ加工装置、および、ねじれが抑制されたスプリングアームを製造するスプリングアーム製造方法を提供する。【解決手段】  金属製で長尺の被照射体を準備する被照射体準備工程、および、前記被照射体の長手方向における途中部分に対しレーザ光を、該被照射体の幅方向に沿って一端から他端へと向かう往路と、該他端から該一端へと向かう復路との双方で照射することにより該被照射体を曲げるレーザ光照射工程を有する。【選択図】        図４
2008149355.tif 000002
【特許請求の範囲】
【請求項１】
金属製で長尺の被照射体を準備する被照射体準備工程、および
前記被照射体の長手方向における途中部分に対しレーザ光を、該被照射体の幅方向に沿って一端から他端へと向かう往路と、該他端から該一端へと向かう復路との双方で照射することにより該被照射体を曲げるレーザ光照射工程を有することを特徴とするレーザ加工方法。
【請求項２】
前記往路と前記復路とでは、レーザ光が照射される箇所が前記長手方向に異なることを特徴とする請求項１記載のレーザ加工方法。
【請求項３】
前記被照射体のねじれを検出するねじれ検出工程を備え、
前記レーザ光照射工程が、前記往路と前記復路とでは、レーザ光の、前記幅方向についての横断速度、前記途中部分に対して照射するレーザ光の出力、および、該途中部分におけるレーザ光のスポット径のうちの少なくともいずれか１つを異ならせて、前記被照射体にレーザ光を照射することで前記ねじれ検出工程で検出されたねじれを打ち消す工程であることを特徴とする請求項１記載のレーザ加工方法。
【請求項４】
前記被照射体のねじれを検出するねじれ検出工程を備え、
前記レーザ光がパルスレーザ光であって、
前記レーザ光照射工程が、前記往路と前記復路とでは、パルスレーザ光のパルス幅およびパルス間隔のうちの少なくとも一方を異ならせて前記被照射体にレーザ光を照射することで前記ねじれ検出工程で検出されたねじれを打ち消す工程であることを特徴とする請求項１記載のレーザ加工方法。
【請求項５】
前記レーザ光照射工程の後で前記被照射体の端部にレーザ光を照射することで該端部の角度を調整する端部角度調整工程を備えたことを特徴とする請求項１記載のレーザ加工方法。
【請求項６】
レーザ光を出射する出射口を有するレーザ光出射部、
前記レーザ光が照射される被照射体が固定される固定台、
前記被照射体と前記出射口との間の相対位置を変更する相対位置変更機構、および
前記レーザ光出射部と前記相対位置変更機構とを協働させることにより、前記レーザ光を前記被照射体に対して、該被照射体の一端から他端への往路と、該他端から該一端への復路との双方で照射させるレーザ光照射制御部を備えたことを特徴とするレーザ加工装置。
【請求項７】
磁気ディスクに記録されたデータにアクセスする磁気ヘッドを端部に保持するスプリングアームを製造するスプリングアーム製造方法において、
曲げ加工を経て前記スプリングアームとなる金属製で長尺の被照射体を準備する準備工程、および
前記被照射体の長手方向における途中部分に対しレーザ光を、該被照射体の幅方向に沿って一端から他端へと向かう往路と、該他端から該一端へと向かう復路との双方で照射することにより該被照射体を曲げるレーザ光照射工程を有することを特徴とするスプリングアーム製造方法。
【発明の詳細な説明】
【技術分野】
【０００１】
本発明は、被照射体にレーザ光を照射することで該被照射体に曲げ加工を施すレーザ加工方法、レーザ加工装置、および、ディスクに記録されたデータにアクセスする磁気ヘッドを端部に保持するスプリングアームを製造するスプリングアーム製造方法に関する。
【背景技術】
【０００２】
従来より、磁気ディスク装置には、内蔵するディスクの表面に近接し、このディスクとの間でデータの書込みおよび読出しを行う磁気ヘッドが備えられている。
【０００３】
磁気ヘッドは、長尺の金属片にバネ圧が付与された所謂スプリングアームの一端に保持されており、また、このスプリングアームは、この磁気ヘッドが取り付けられている一端とは反対側の他端がアクチュエータに取り付けられている。スプリングアームは、このアクチュエータにより、アーム軸を中心に回動し、ディスクはモータで回転している。これにより、磁気ヘッドはディスク上の移動が自在となっている。
【０００４】
ところで、磁気ディスク装置内でディスクは高速回転することから、このディスクに近接する磁気ヘッドには、この磁気ヘッドをディスクから引き離す向きに、これらの間の距離に反比例した空気圧が発生し、また、このディスクの表面は、微視的には凸凹であることから、スプリングアームには、この磁気ディスクと磁気ヘッドとの間の微小な間隔を一定に保つためにバネ圧が付与されている。
【０００５】
上述のバネ圧の付与については、長尺の金属片の長手方向における途中部分にレーザ光をこの金属片の幅方向に沿って照射してこの金属片を曲げることでバネ圧を持たせる提案がなされている（特許文献１参照）。
【特許文献１】特公平０７−７７０６３号公報
【発明の開示】
【発明が解決しようとする課題】
【０００６】
しかしながら、上記提案による方法では、スプリングアームに長手方向を軸として、根元に対して先端がねじれるという問題がある。こうなると、スプリングアームの場合は特に、磁気ヘッドと、高速に回転するディスクとの間の適正な微小間隔が得にくくなり問題である。
【０００７】
尚、上記ねじれの発生は、スプリングアームを製造する場合以外においても金属製で長尺の被照射体の長手方向における途中部分にレーザ光を照射して該被照射体に曲げ加工を施す場合には一般的に起こりうる。
【０００８】
本発明は、上記事情に鑑み、ねじれの発生が抑制されるレーザ加工方法、レーザ加工装置、および、ねじれが抑制されたスプリングアームを製造するスプリングアーム製造方法を提供することを目的とする。
【課題を解決するための手段】
【０００９】
上記目的を達成するための本発明のレーザ加工方法は、
金属製で長尺の被照射体を準備する被照射体準備工程、および
上記被照射体の長手方向における途中部分に対しレーザ光を、この被照射体の幅方向に沿って一端から他端へと向かう往路と、この他端からこの一端へと向かう復路との双方で照射することによりこの被照射体を曲げるレーザ光照射工程を有することを特徴とする。
【００１０】
本発明のレーザ加工方法では、被照射体への、往路および復路のレーザ光照射を一単位として行なうことにより、往路で発生したねじれを復路で相殺しながら被照射体に対して曲げ加工を施すことができる。
【００１１】
ここで、上記往路と上記復路とでは、レーザ光が照射される箇所が上記長手方向に異なることが好ましい。
【００１２】
この様に往路と復路とでレーザ光の照射箇所を異ならせることで、往路で発生するねじれと同等のねじれを復路でより確実に発生させることができ、照射箇所を往路と復路とで同じにした場合と比べ金属疲労の発生を抑制することもできる。
【００１３】
また、本発明において、上記被照射体のねじれを検出するねじれ検出工程を備え、
上記レーザ光照射工程が、上記往路と上記復路とでは、レーザ光の、上記幅方向についての横断速度、上記途中部分に対して照射するレーザ光の出力、および、この途中部分におけるレーザ光のスポット径のうちの少なくともいずれか１つを異ならせて上記被照射体にレーザ光を照射することで上記ねじれ検出工程で検出されたねじれを打ち消す工程であることは好ましい態様である。
【００１４】
また、上記被照射体のねじれを検出するねじれ検出工程を備え、
上記レーザ光がパルスレーザ光であって、
上記レーザ光照射工程が、上記往路と上記復路とでは、パルスレーザ光のパルス幅およびパルス間隔のうちの少なくとも一方を異ならせて上記被照射体にレーザ光を照射することで上記ねじれ検出工程で検出されたねじれを打ち消す工程であることをことも好ましい態様である。
【００１５】
これらの好ましい態様によれば、被照射体がレーザ光の照射前に既にねじれを有するものであっても、曲げ加工に際してそのねじれも併せて修正することができる。
【００１６】
ここで、上記レーザ光照射工程の後で上記被照射体の端部にレーザ光を照射することでこの端部の角度を調整する端部角度調整工程を備えるものであってもよい。
【００１７】
上記目的を達成するための本発明のレーザ加工装置は、
レーザ光を出射する出射口を有するレーザ光出射部、
上記レーザ光が照射される被照射体が固定される固定台、
上記被照射体と上記出射口との間の相対位置を変更する相対位置変更機構、および
上記レーザ光出射部と上記相対位置変更機構とを協働させることにより、上記レーザ光を上記被照射体に対して、この被照射体の一端から他端への往路と、この他端からこの一端への復路との双方で照射させるレーザ光照射制御部を備えたことを特徴とする。
【００１８】
上記目的を達成するための本発明のスプリングアーム製造方法は、
磁気ディスクに記録されたデータにアクセスする磁気ヘッドを端部に保持するスプリングアームを製造するスプリングアーム製造方法において、
曲げ加工を経て上記スプリングアームとなる金属製で長尺の被照射体を準備する準備工程、および
上記被照射体の長手方向における途中部分に対しレーザ光を、この被照射体の幅方向に沿って一端から他端へと向かう往路と、この他端からこの一端へと向かう復路との双方で照射することによりこの被照射体を曲げるレーザ光照射工程を有することを特徴とする。
【発明の効果】
【００１９】
本発明によれば、ねじれの発生が抑制されるレーザ加工方法、レーザ加工装置、および、ねじれが抑制されたスプリングアームを製造するスプリングアーム製造方法を提供することができる。
【発明を実施するための最良の形態】
【００２０】
以下、本発明の実施形態について説明する。
【００２１】
図１は、本発明のレーザ加工方法の一実施形態を兼ねた、本発明のスプリングアーム製造方法の一実施形態が実施される、本発明のレーザ加工装置の一実施形態の側面図である。
【００２２】
図１には、本実施形態であるレーザ加工装置１の概略構成が示されており、このレーザ加工装置１は、パーソナルコンピュータ（以下、このパーソナルコンピュータをＰＣと称す。）１００、制御コントローラ２００、パルスレーザ発振器３００、ステージドライバ４００、フレーム５００、加工ヘッド６００、角度測定器７００、およびバネ圧測定器８００を構成要素としている。このレーザ加工装置１では、端部に、磁気ディスク装置に内蔵されたディスクに近接してデータをやりとりする磁気ヘッドが取り付けられた長尺の金属片に曲げ加工を施し、この金属片にバネ圧を付与することで、この金属片を所謂スプリングアームと呼ばれる部材に加工する。
【００２３】
スプリングアームと呼ばれる所以は、磁気ディスク装置内でディスクは高速回転することから、このディスクに近接する磁気ヘッドには、この磁気ヘッドをディスクから引き離す向きに、これらの間の距離に反比例した空気圧が発生し、また、このディスクの表面は、微視的には凸凹であることから、磁気ヘッドが取り付けられた長尺の金属片は、このディスクと磁気ヘッドとの間の微小な間隔を一定に保つためにバネ圧を有する必要があるからである。
【００２４】
また、図１には、フレーム５００に取り付けられた、これもレーザ加工装置１の構成要素であるＸ−Ｙステージ部４２０およびＺステージ部４１０が示されており、Ｘ−Ｙステージ４２０部のＸ−Ｙステージ４２２の上面にはステンレス製で長尺の金属片２が保持されている。また、Ｚステージ部４１０のＺステージ４１２には、Ｘ−Ｙステージ４２２の上面に保持された金属片２のバネ圧を検出するバネ圧測定器８００が取り付けられている。このバネ圧測定器８００には、金属片２に向かって延びる接触端子８０１が備えられている。このバネ圧測定器８００からは、この接触端子８０１が接触した磁気ヘッド２３から受ける圧力を表す信号が制御コントローラ２００を経由してＰＣ１００に送信されるようになっている。
【００２５】
これらＸ−Ｙステージ部４２０には駆動モータ４２１が備えられており、Ｚステージ部４１０にも駆動モータ４１１が備えられている。これら駆動モータ４２１、４１１は、ステージドライバ４００を経由して制御コントローラ２００と電気的に接続されている。尚、このレーザ加工装置１では、金属片２は、ステージドライバ４００から、Ｘ−Ｙステージ部４２０の駆動モータ４２１への駆動指示によりＸ−Ｙステージ４２２上を縦横に移動可能となっているのに対し、加工ヘッド６００の位置は固定されている。また、このバネ圧測定器８００は、ステージドライバ４００から、Ｚステージ部４１０の駆動モータ４１１への駆動指示によりＺステージ４１２に沿って上下に移動可能となっているが、このバネ圧測定器８００は、金属片２の種類に応じて予め決められた、Ｚステージ４１２上の位置に保持されるようになっている。
【００２６】
図１に示す加工ヘッド６００は、パルスレーザ発振器３００に光学的に繋がれており、このレーザ加工装置１では、ＰＣ１００からパルス幅、パルス間隔、出力などを表す数値データが制御コントローラ２００に送信され、制御コントローラ２００は、送信されてきた数値データに応じたパルス信号をパルスレーザ発振器３００に対し送信する。パルスレーザ発振器３００では、受信したパルス信号に応じたパルスレーザが加工ヘッド６００に向けて出射される。加工ヘッド６００では、パルスレーザの絞りやフォーカシング等が行われる。尚、このパルスレーザの絞りやフォーカシングと等の調整は、制御コントローラ２００からの指示により行われる。また、図１には、Ｘ−Ｙステージ４２２に保持された金属片２の長手方向の途中部分に、点線で示されたレーザ光が照射されている様子が示されている。
【００２７】
図１に示す角度測定器７００は、金属片２のねじれの検出と、金属片２の端部に取り付けられた磁気ヘッド２３の角度の検出とを行う。また、この角度測定器７００は、制御コントローラ２００に電気的に繋がれており、その測定結果は、制御コントローラ２００を経由してＰＣ１００に送信されるようになっている。
【００２８】
図１に示す金属片２は、厚手のベースプレート２１と、磁気ヘッド２３が取り付けられている薄手のフレキシャ２２とが溶接されたものであり、レーザ光の照射は、Ｘ−Ｙステージ４２２にベースプレート２１が取り付けられた状態の金属片２のフレキシャ２２に対して行われる。
【００２９】
図１に示す制御コントローラ２００は、レーザ加工装置１の構成要素であるＰＣ１００から指示を受けてステージドライバ４００を制御しており、これにより、このレーザ加工装置１では、金属片２に対するレーザ光の横断速度を制御する。
【００３０】
次に、このレーザ加工装置１における、上述の金属片２にバネ圧を与えることでスプリングアームを製造する際の処理の流れについて説明する。
【００３１】
図２は、レーザ加工装置で実施される、スプリングアームの製造工程を示す図である。
【００３２】
図２に示すねじれ検出工程１０１では、レーザ加工装置１のＸ−Ｙステージ４２２に取り付けられた金属片２のねじれが検出される。その後、バネ圧検出工程１０２では、この金属片２のバネ圧が検出される。ここで、このレーザ加工装置１では、ねじれ検出工程１０１で検出されたねじれを解消しつつ、目標とするバネ圧とバネ圧検出工程１０２で検出したバネ圧との差分を補うべく、この金属片２のフレキシャ２２の幅方向についての往路と復路との双方を一単位とするレーザ光照射が行われる。この際のレーザ光照射の態様は、ＰＣ１００内に記憶されている、バネ圧用参照テーブルとねじれ用参照テーブルとを参照して決定される。バネ圧用テーブルには、検出したバネ圧と目標とするバネ圧との差分に応じた、往路と復路とにおけるレーザ光の出力、横断速度、スポット径、および照射経路のバリエーションが記載されている。また、ねじれ用参照テーブルには、検出したねじれに応じた、レーザ出力についての往路と復路との間のレーザ光の出力差のバリエーションが記載されている。レーザ加工装置１では、例えばねじれ検出工程１０１においてねじれが検出されなかった場合には、バネ圧用テーブルに上述の差分に応じて記載されている態様のレーザ光照射が往路と復路との双方で同じ態様で行われる。一方、ねじれ検出工程で１０１でねじれが検出されると、検出したねじれに応じて記載されているレーザ光の出力差が、バネ圧用テーブルにおける対応するレーザ光の出力に加味されたレーザ光照射が行われる。尚、この出力差の加味は、バネ圧用テーブルにおける対応するレーザ光の出力を上回らないように行われる。したがって、このレーザ加工装置１では、ねじれ検出工程１０１でねじれが検出されていない場合には、目標とするバネ圧を１往復のレーザ光照射で獲得できる確度は高いものの、ねじれ検出工程１０１でねじれが検出されている場合には、ねじれが検出されていない場合のレーザ出力以下のレーザ光照射が往路と復路のうちのいずれかで行われることから、ねじれが検出されている場合には往路と復路とを一単位とするレーザ光照射が複数回必要となる場合がでてくる。尚、ねじれ用参照テーブルに、レーザ光の出力差ではなく、横断速度や、スポット径、パルス幅、あるいはパルス間隔が記載されていてもよい。
【００３３】
レーザ光照射工程１０３では、上述の様にして決定された制御値で表される態様のレーザ光の照射が、金属片２の長手方向の途中部分の、この金属片２の幅方向に沿った一端から他端へと向かう往路と、ルートは長手方向にややずれるものの、この他端からもとの一端へと向かう復路との双方で行なわれる。往路と復路とで照射ルートを異ならせるのは、上述のねじれ検出工程１０１においてねじれが検出されない場合に、往路で発生するねじれと同等のねじれを復路でより確実に発生させる確度を上げることができ、また、照射箇所を往路と復路とで同じにした場合と比べ金属疲労の発生を抑制することもできるからである。
【００３４】
レーザ光照射工程１０３における１往復のレーザ光照射が終了すると、このレーザ加工装置１では、再び、ねじれ検出工程１０１とバネ圧検出工程１０２が行われ、目標とするバネ圧がねじれのない状態で獲得できる様なレーザ光の照射態様が決定され、決定された態様のレーザ光照射がレーザ光照射工程１０３で行われる。これらねじれ検出工程１０１、バネ圧検出工程１０２、およびレーザ光照射工程１０３が１回若しくは複数回繰り返されて、ねじれがなく、かつ目標とするバネ圧が付与された金属片２には、次に、端部角度調整工程１０４において、磁気ヘッド２３が取り付けられた端部の角度が角度測定器７００で測定され、その角度の調整が行われる。
【００３５】
ここで、ＰＣ１００の内部には、前述したバネ圧用参照テーブルやねじれ用参照テーブルの他にも角度調整用参照テーブルが記憶されており、この角度調整用参照テーブルには、金属片２の、磁気ヘッド２３が取り付けられている端部の角度と、目標とする角度との差分に応じたレーザ光出力および照射位置のバリエーションが記載されている。
【００３６】
端部角度調整工程１０４では、角度測定器７００で測定された、金属片２の端部の上記角度と、目標とする角度との差分に応じた出力でのレーザ光照射を、金属片２の、この磁気ヘッド２３が取り付けられている部分を避けた端部へ照射することで行われる。
【００３７】
図３は、図１に示す金属片の拡大図である。
【００３８】
図３（ａ）には、金属片２の上面図、図３（ｂ）には、金属片２の右側面図が示されており、図３（ｃ）には、金属片２の下面図が示されている。この金属片２は、上述した様に、厚手のベースプレート２１と、磁気ヘッド２３が端部に取り付けられている薄手のフレキシャ２２とが溶接されたものである。
【００３９】
また、この金属片２は、不図示のアクチュエータに、ベースプレート２１の孔２１ａが係合されることでこの孔２１ａを中心に回動自在となっている。
【００４０】
また、この金属片２では、図３（ｂ）に点線で示すように、金属片２の長手方向の途中部分の、この金属片２の幅方向にレーザ光を往復で照射し、レーザ光を照射した側に曲げることでこの金属片２にはバネ圧が付与される。また、フレキシャ２２の、磁気ヘッド２３が取り付けられている箇所の周囲には、切欠２２ａが設けられており、この切欠２２ａは、ディスクに対する磁気ヘッド２３の角度を適切に保つためのバネ性を局所的に付与するものである。尚、ベースプレート２１の厚みがフレキシャ２２の厚みよりも厚くされているのは、スプリングアームにある程度の剛性を持たせることで、磁気ディスク装置に衝撃が加わった際にこのスプリングアームが撓ってディスクに衝突しないようにするためである。
【００４１】
さらに、ねじれなくバネ圧が付与されたスプリングアームに対しては、磁気ヘッド２３の角度調整が、フレキシャ２２の、磁気ヘッド２３が取り付けられた箇所を避けた部位へのレーザ光の照射により行われる。
【００４２】
以下、本実施形態のレーザ加工装置１における金属片２に対するバネ圧の付与および磁気ヘッド２３が取り付けられている端部の角度調整について詳細に説明する。
【００４３】
ベースプレート２１とフレキシャ２２とが溶接された金属片２には、ねじれているものもある。そこで、このレーザ加工装置１では、金属片２のねじれを図１に示す角度測定器７００によって検出する。角度測定器７００により検出されたねじれを表す信号は、制御コントローラ２００を経由してＰＣ１００に送信される。
【００４４】
レーザ加工装置１のＰＣ１００では、送信されてきたねじれを表す信号から、金属片２に対するレーザ光の出力、横断速度、スポット径、および照射経路が、前述したテーブルを参照しながら往路と復路とのそれぞれについて決定される。
【００４５】
図４は、レーザ光の照射の軌跡を示す図である。
【００４６】
図４には、金属片２の長手方向の途中部分であって、その幅方向に沿って往路イと復路ロとでそれぞれレーザ光の照射を行い、さらに、往路ハと復路二とでもそれぞれレーザ光の照射が行われた様子が示されている。
【００４７】
このレーザ加工装置１では、レーザ光の照射が１往復行われる度に、ねじれの解消とバネ圧の基準値到達との双方について判定がなされ、これら双方が条件を満たすまでレーザ光照射が行われる。ここでは、１往復目のレーザ光照射によっては、これら双方の条件が満たされなかったために、２往復目のレーザ光照射がなされた場合が示されている。このレーザ加工装置１では、これら双方の条件が満たされると、引き続き、磁気ヘッド２３の角度調整が行われる。
【００４８】
図５は、スプリングアームの端部に対するレーザ光の照射の軌跡を示す図である。
【００４９】
図５には、フレキシャ２２の、磁気ヘッド２３が取り付けられている端部部分が示されており、ここには、前述した切欠２２ａも示されている。
【００５０】
また、図５には、スプリングアームの幅方向に沿って、切欠２２ａからスプリングアームの外側に向けて対称にレーザ光が照射された様子が示されている。
【００５１】
このレーザ加工装置１では、ねじれの解消と目標とするバネ圧の付与が図られた後、フレキシャ２２の端部に取り付けられた磁気ヘッド２３の角度が角度測定器７００により検出される。その後、検出された角度に基づいて前述の角度調整用テーブルを参照して決定された出力でのレーザ光照射が、図５に示す軌跡Ａと軌跡Ａ’との双方で行われる。ここでは、軌跡Ａと軌跡Ａ’との双方で行われたレーザ光照射によっては、目標とする角度が出せなかったことが角度測定器７００の測定によって判明したことで、その際に検出した角度に基づいて新たに決定された出力および照射位置へのレーザ光照射が軌跡Ｂと軌跡Ｂ’との双方で行われた様子が示されている。
【００５２】
以上に説明したように、このレーザ加工装置１では、ねじれの解消と目標とするバネ圧の付与とを、金属片２の長手方向の途中部分の、幅方向について往路と復路とを一単位とするレーザ光照射により実現することができる。また、このレーザ加工装置１では、磁気ヘッド２３の角度調整が、フレキシャ２２の、磁気ヘッド２３が取り付けられている部分以外の端部へのレーザ光照射により実現することができる。
【００５３】
尚、以上に説明した実施形態では、往路と復路においてレーザ光の照射ルートを異ならせた場合を例に挙げて説明したが、本発明ではこれに限るものではなく、往路と復路との双方で同じ照射ルートをとったとしても、本発明の基本的な効果を減却するものではない。また、以上に説明した実施形態では、金属片２に対するレーザ光照射を、加工ヘッド６００に対して金属片２を動かして行った場合を例に挙げて説明したが、本発明ではこの態様に限るものではなく、金属片２に対して加工ヘッド６００を動かすことで金属片２にレーザ光を照射してもよい。
【図面の簡単な説明】
【００５４】
【図１】本発明のレーザ加工方法の一実施形態を兼ねた、本発明のスプリングアーム製造方法の一実施形態が実施される、本発明のレーザ加工装置の一実施形態の側面図である。
【図２】レーザ加工装置で実施される、スプリングアームの製造過程を示す図である。
【図３】図１に示す金属片の拡大図である。
【図４】レーザ光の照射の軌跡を示す図である。
【図５】スプリングアームの端部に対するレーザ光の照射の軌跡を示す図である。
【符号の説明】
【００５５】
１  レーザ加工装置
２  金属片
２１  ベースプレート
２１ａ  孔
２２  フレキシャ
２２ａ  切欠
２３  磁気ヘッド
１００  ＰＣ
２００  制御コントローラ
３００  パルスレーザ発振器
４００  ステージドライバ
４１０  Ｚステージ部
４１１、４２１  駆動モータ
４１２  Ｚステージ
４２０  Ｘ−Ｙステージ部
４２２  Ｘ−Ｙステージ
５００  フレーム
６００  加工ヘッド
７００  角度測定器
８００  バネ圧測定器
８０１  接触端子
【図１】
2008149355.tif 000003
【図２】
2008149355.tif 000004
【図３】
2008149355.tif 000005
【図４】
2008149355.tif 000006
【図５】
2008149355.tif 000007